(57)【要約】【課題】  少量にしか生産されない場合であってもコストの回収が容易な照明器具を提供することにある。また、リサイクル性が改善された照明器具を提供することにある。【解決手段】  この照明器具１は、照明具３と、カバー５とを備えている。カバー５は、照明具３を覆うよう照明具３に装着されるとともに、ペットボトル３１に所定の加工を施して得られるものである。【選択図】      図１
2005216672.tif 000002
【特許請求の範囲】
【請求項１】
照明具と、
前記照明具を覆うよう前記照明具に装着されるとともに、大量消費性容器に所定の加工を施して得られるカバー部材と、
を備えた照明器具。
【請求項２】
前記大量消費性容器は、ペットボトルである、請求項１に記載の照明器具。
【請求項３】
前記ペットボトルは、内容物の出し入れのために形成された飲み口部と、前記飲み口部から延びて形成されるとともに底部を含むボトル本体とを有し、
前記カバー部材は、前記ペットボトルの飲み口部が裁断されてなる第１開口部と、前記ボトル本体の底部が裁断されてなる第２開口部とを有し、
前記照明具は、発光部を含む本体部と、前記本体部に連結されるとともに所定のソケットに接続可能であり前記第１開口部の内径より小さい径を有する口金部とを有しており、前記本体部が前記ボトル本体の内側に配置されるとともに前記口金部が前記第１開口部を通って外部に露出して前記カバー部材に装着されている、
請求項２に記載の照明器具。
【請求項４】
前記照明具の口金部が挿入可能に環状に形成されるとともに、前記口金部がソケットに連結された連結状態で前記ボトル本体の第１開口部と前記ソケットとの間に挟持されるパッキンをさらに備えた、請求項３に記載の照明器具。
【請求項５】
前記ペットボトルは、ボトル本体の底部に装着された底蓋部をさらに有し、
前記カバー部材の前記第２開口部に着脱自在に装着される前記底蓋部をさらに備えた、
請求項３または４に記載の照明器具。
【請求項６】
前記口金部に連結されるソケットをさらに備えた、請求項３から５のいずれかに記載の照明器具。
【請求項７】
前記カバー部材の外周部の少なくとも一部に取り付けられる反射材をさらに備えた、請求項１から６のいずれかに記載の照明器具。
【請求項８】
仮設照明のために用いられる、請求項１から７のいずれかに記載の照明器具。
【請求項９】
請求項３から８のいずれかに記載の２つの照明器具を備え、
２つの前記ボトル本体の第２開口部が対向して連結されている、
照明器具装置。
【発明の詳細な説明】
【技術分野】
【０００１】
本発明は、照明器具及び照明器具装置に関する。
【背景技術】
【０００２】
各種建築物、構造物等の建設若しくは組み立てを行うための施工現場や工事現場、また、屋内及び屋外イベントのために用いられる簡易施設等の組み立て等を行う作業現場では、暗い場所や夜間に作業を行う場合は、仮設照明器具が利用される。
【０００３】
仮設照明器具は、一般に、白熱灯や蛍光灯の照明具を、所定のカバー部材で覆うように装着することで作成されたものであり、カバー部材は、照明具を外部からの衝撃から守ったり、雨水等が進入して照明具に悪影響を及ぼしたりするのを防止する。
【０００４】
仮設照明用器具を含む照明器具では、一般に、照明具は、市販のものがそのまま利用されるのに対し、カバー部材は、その用途や使用される環境等に応じて用意され、例えば、金属製である場合はプレス用金型によって、また、樹脂製である場合は成型用金型を利用して作成される。
【発明の開示】
【発明が解決しようとする課題】
【０００５】
金型は、作成するのに一定のコストを要するが、一度作成されれば何度でも使用できることから、通常、これを利用してカバー部材を大量に生産することにより、照明器具１個当たりの生産コストが小さくなり、金型作成に要した費用を回収することができる。
【０００６】
しかしながら、カバー部材が少量にしか作成されない場合は、照明器具１個当たりの生産コストを抑えることができず、金型作成に要した費用を十分に回収することができないために、採算がとれなくなる。
【０００７】
特に、仮設照明器具は、作業現場等の特殊な環境で使用されることから、現場ごとに用意されるのが通常であり、一般の照明器具に比べ、一度に大量に生産されることが少ない。したがって、金型を用いて仮設用照明器具を生産した場合に、その生産コストを回収するのは容易ではない。
【０００８】
また、仮設照明器具は、一般の照明器具に比べ需要が少なく用途が限定されていることもあり、その設計段階で廃棄処分後のリサイクルのことまで考慮されたものが少なく、例えば、カバー部材の原料としてリサイクルの難しい材質が採用されるケースが多い。
【０００９】
さらに、カバー部材は、通常、製品ごとに用意された金型により生産されるので、その形状、寸法等にばらつきが多いことも、廃棄品をリサイクル過程に乗せることを困難にしている。
【００１０】
本発明の目的は、少量にしか生産されない場合であってもコストの回収が容易な照明器具を提供することにある。また、本発明の目的は、リサイクル性が改善された照明器具を提供することにある。
【課題を解決するための手段】
【００１１】
請求項１に係る照明器具は、照明具と、カバー部材とを備えている。カバー部材は、照明具を覆うよう照明具に装着されるとともに、大量消費性容器に所定の加工を施して得られるものである。
【００１２】
なお、本発明において、大量消費性容器とは、一般の消費者や事業者が、スーパー、コンビニエンスストア等の小売店やリサイクルショップ等において少なくとも入手可能な程度に市場に流通しているものをいう。
【００１３】
容器は、それ自身が既に所定のスペースを内側に有するものであるが、この照明器具は、そのようなスペースを有する容器に簡単な加工を施すことでカバー部材を作成し、このカバー部材の内側に照明具を配置することで生産することができる。したがって、ここでは、カバー部材を作成するのに、金型を用いずに済み、照明器具１つ１つの生産コストは同等なものとなるため、大量に生産しなくても十分にコストを回収することができる。しかも、ここで用いられる容器としては、市場に大量に流通し入手が容易で安価な大量消費性容器が用いられるため、カバー部材の作成コストを大幅に低減できる。
【００１４】
また、かかる大量消費性容器は、大量に消費されるが故に、それらの廃棄品についてのリサイクル過程が整備されている。したがって、この照明器具では、廃棄される際に生じるカバー部材を、容易にリサイクル過程に置くことができ、建築現場等で生じる建築資材等を含めた多量の廃棄物を低減することにも繋がる。
【００１５】
さらに、この照明器具では、市場に大量に出る廃棄品をカバー部材として再利用することもできるので、この点でも対環境の点で優れている。
【００１６】
また、この照明器具は、カバー部材を備えたことにより、防雨性能、防滴性能、電球破損防止、汚濁防止、ガラス飛散防止、火災予防、やけど防止等の効果も有している。
【００１７】
請求項２に係る照明器具は、請求項１の照明器具において、大量消費性容器は、ペットボトルである。
【００１８】
この照明器具では、具体的に、近年の市場において大量に流通するペットボトルを利用してカバー部材を作成することで、生産コストを抑え、リサイクル性を改善するようにしている。
【００１９】
また、従来より、照明器具等の電気機器用材料としてポリカーボネートが多く用いられているが、仮設照明器具は、特に耐熱性や機械的強度が要求されることから、ポリカーボネートはカバー部材の好ましい材料として用いられる。しかし、ポリカーボネート製の部品は、ペットボトルに比べると、リサイクル性に劣り、耐熱性の点でも十分ではない（荷重撓み温度は、ポリカーボネートが１２０℃程度であるのに対し、ポリエチレンテレフタレート（以下、ＰＥＴと表記）では、耐熱性のものであれば１５５℃程度、非耐熱性のものでも１４０℃程度である。）。したがって、この照明器具は、従来多く用いられていたポリカーボネート製のカバー部材に比べ、リサイクル性、耐熱性に優れたものとなっている。
【００２０】
さらに、ペットボトルから作成されたカバー部材は、金型生産品に比べ処分が容易であるため、この照明器具では、廃棄処分の際のコスト低減も図ることができる。
【００２１】
なお、ペットボトルとは、ＰＥＴを原料としてブロー成形により製造された容器をいう。
【００２２】
請求項３に係る照明器具は、請求項２の照明器具において、ペットボトルは、内容物の出し入れのために形成された飲み口部と、飲み口部から延びて形成されるとともに底部を含むボトル本体とを有している。また、カバー部材は、ペットボトルの飲み口部が裁断されてなる第１開口部と、ボトル本体の底部が裁断されてなる第２開口部とを有している。そして、照明具は、発光部を含む本体部と、本体部に連結されるとともに所定のソケットに接続可能であり第１開口部の内径より小さい径を有する口金部とを有しており、本体部がボトル本体の内側に配置されるとともに口金部が第１開口部を通って外部に露出してカバー部材に装着されている。
【００２３】
この照明器具では、カバー部材は、具体的に、ペットボトルの飲み口部及び底部を裁断することで容易に作成することができるとともに、照明器具自体も、例えば、このようなカバー部材の第２開口部から照明具を入れて、口金部が第１開口部を通るようにカバー部材内に配置することで容易に作成することができる。したがって、この照明器具では、このような容易な方法によって生産することでコストを抑えることができる。
【００２４】
請求項４に係る照明器具は、請求項３の照明器具において、照明具の口金部が挿入可能に環状に形成されるとともに、口金部がソケットに連結された連結状態でボトル本体の第１開口部とソケットとの間に挟持されるパッキンをさらに備えている。
【００２５】
この照明器具では、絶縁材料からなるパッキンを用いた場合、パッキンが連結状態でボトル本体とソケットとに挟持されると、口金部が外部に露出するのを防止できるので、絶縁性が向上するとともに、連結状態で第１開口部がパッキンによりシールされることによって外部からの水等の進入を防ぐことができ、防水性が向上する。
【００２６】
さらに、パッキンを弾性体で構成した場合は、パッキンがボトル本体とソケットとにより締め付けられることで、ソケットに接続された照明具とカバー部材との間でがたつきが生じるのを抑えて、照明具をカバーに対し強固に固定できる。また、この場合は、パッキンを締め付けることにより生じる弾性体の反発力により、ソケットの口金部に対する緩み止め効果も得られる。
【００２７】
請求項５に係る照明器具は、請求項３または４の照明器具において、ペットボトルは、ボトル本体の底部に装着された底蓋部をさらに有している。また、カバー部材の第２開口部に着脱自在に装着される底蓋部をさらに備えている。
【００２８】
この照明器具では、底蓋部が第２開口部に装着可能であるため、例えば、工事等が完了して撤去する際に底蓋部を第２開口部に装着することで、取り外し作業や運搬中において、照明具の電球部分等が破損した場合のガラス等の飛散を防止することができる。
【００２９】
請求項６に係る照明器具は、請求項１から５のいずれかの照明器具において、カバー部材の外周部の少なくとも一部に取り付けられる反射材をさらに備えている。
【００３０】
この照明器具では、例えば、壁際や、コーナー部分に設置される場合のように、光を照射する領域が小さくても済むような場所に設置される場合は、光の照射が不要となるカバー部材の部分に反射材を設けることで、他の部分における照射効率を上げて、必要な領域をより明るく照らすことができる。
【００３１】
特に、ペットボトルから作成したカバー部材では、ペットボトルが透明であるために全方向に光が照射されることから、かかる構成により、照射効率を良くすることができる。
【００３２】
請求項７に係る照明器具は、請求項１から６のいずれかの照明器具において、仮設照明のために用いられる。
【００３３】
本発明の照明器具では、金型生産を必要とせず少量生産でも十分にコストを回収できることから、一般の照明器具に比べ一度に生産される量の少ない仮設照明器具として用い留場合に特に有効である。
【００３４】
また、仮設照明器具は、通常の照明器具に比べ過酷な環境で使用されるため、汚れや破損によってカバー部材の交換が必要な機会が多くなるが、この照明器具では、低コストで生産できるカバー部材を採用したことから、そのような交換が頻繁に生じた場合にも低コストで対応できる。
【００３５】
請求項８に係る照明器具装置は、請求項３から７のいずれかに記載の２つの照明器具を備えている。また、２つのボトル本体の第２開口部が対向して連結されている。
【００３６】
この照明器具装置では、上記のような簡単な構成の照明器具を用いることで、このような態様を含めバリエーションの幅が広がる。
【発明の効果】
【００３７】
本発明によれば、カバー部材は、予め所定のスペースが形成された容器から作成されることから、その作成に際して金型を用意する必要がなく、これにより、少量しか生産されない場合であっても十分にコストを回収することができる。しかも、その容器は、入手が容易で安価な大量消費性容器を原料としていることから、カバー部材の作成コストを大幅に低減できるとともに、廃棄処分時等のリサイクル性に優れ、対環境の点でも優れている。
【発明を実施するための最良の形態】
【００３８】
＜第１実施形態＞
［照明器具の構成］
図１に、本発明の第１実施形態が採用された照明器具１を示す。
【００３９】
この照明器具１は、仮設照明のために用いられるものであり、照明具３と、カバー５と、パッキン７と、ソケット９とを備えている。
【００４０】
照明具３は、ソケット９にねじ込み可能な市販の電球式蛍光灯であり、本体部１１と、本体部に装着された口金部１３とを有している。本体部１１は、外部に光を照射する発光部１５と、発光部１５に連結され、電子安定器（図示せず）等を含む制御部１７とを有している。この電子安定器は、電子安定化回路を有し発光部１５をインバータ制御可能であり、電圧変動に対する自己回路内修正機能を有しているため、これを用いた照明具３は、白熱電球や電子安定器でない安定器を含むものに比べ、電圧降下に対して強い特性を有している。口金部１３は、金属製部材であり、ソケット９の雌ねじに螺合する雄ねじが外周部に形成されている。なお、ここでは、発光部１５として蛍光灯が採用されているが、これに代えて発光ダイオード（以下、ＬＥＤ）等の発熱量の少ない他の発光手段が採用されても良い。また、この照明具３は、白熱灯に比べ、消費電力が約１／４、寿命が約８倍、発熱量が約１／４になっている。
【００４１】
カバー５は、照明具３の本体部１１を覆うよう配置される部材であり、市場で入手可能なペットボトルから作成されたものである。カバー５は、図２に示すように、ペットボトルの飲み口部３３を裁断してなる第１開口部２１と、ペットボトルの底部３５を裁断してなる第２開口部２３とを有している。第１開口部２１は、照明具３の口金部１３の外径よりも大きい内径を有しており、口金部１３が挿通可能になっている。また、第１開口部２１の内径は、照明具３の制御部１７の外径より小さく、制御部１７は挿通不能になっている。
【００４２】
カバー５の材料として用いられるペットボトルは、その大きさや形状は特に限定されず、また、内容量も、５００ｍｌ、１ｌ、１．５ｌ、２ｌ等種々のものを採用できるが、本実施形態では、１．５ｌのものが好ましく用いられる。
【００４３】
パッキン７は、カバー５とソケット９との間をシールするための部材であり、ニトリルゴム等のゴム材料を材質とし、照明具３の口金部１３が挿入可能に環状に形成された部材である。パッキン７は、本体部１１がソケット９に連結された連結状態では、カバー５の第１開口部２１とソケット９とにより両側から圧接されて挟持される。
【００４４】
ソケット９は、口金部１３を介して本体部１１に電力を供給するためのものであり、防水用のものである。ソケット９には、口金部１３に連結される雌ねじが形成される。ソケット９は、ここでは、接続ケーブル１０が取り付けられているが、このような接続ケーブルを有しないタイプのものであっても良い。
【００４５】
以上のように構成された照明器具１は、重量が３８０ｇ程度と比較的軽量であるため、ケーブル１０にかかる負担が少なく、吊り下げ器具として好ましく使用できる。また、この照明器具１を使用すると０．２Ａの電流が流れる。さらに、この照明器具１は、上記のように照明具３の発熱量が少ないことから、ペットボトルから作成されたカバー５であっても熱変形等が生じるのを回避することができる。
【００４６】
［照明器具の作成方法］
次に、照明器具１の作成方法について説明する。
【００４７】
内容量１．５ｌのペットボトル３１を用意し、まず、飲み口部３３及び底部３５をカッター等で裁断し、高さ２２．５ｃｍのボトル本体３７を得る。このボトル本体３７は、第１開口部２１が２７ｍｍ、第２開口部２３が９２ｍｍのそれぞれ内径を有している。なお、ここで用いられるペットボトル３１は、炭酸系飲料を充填するのに用いられていたリサイクル品であり、図示されるように、底部３５が所定の波形形状に加工されたものである。
【００４８】
次いで、ボトル本体３７の第２開口部２３から照明具３を入れ口金部１３を第１開口部２１に通す。そして、内径２５ｍｍ、外径３５ｍｍ、厚み３ｍｍのゴム製パッキン７を口金部１３に通す。ここで口金部１３の内径が２６ｍｍであるため、パッキン７を通す際は、パッキン７を外周側に引っ張りながら通すのがよい。仮にこのパッキン７に代えて内径２６ｍｍのものを用いた場合は、口金部１３を通すのは容易であるが連結状態で外周側に延びてしまうので、口金部１３の外径よりも１ｍｍ程度小さい内径２５ｍｍ程度のものが好ましい。
【００４９】
最後に、ソケット９を口金部１３に螺合させることで、照明器具１が完成する。
【００５０】
［照明器具の効果］
以上のような照明器具１によれば、カバー５の作成にあたって、特に金型を用意する必要がなく、照明器具１つ１つの生産コストは同等なものとなるため、大量に生産しなくても十分にコストを回収することができる。しかも、カバー５の原料として採用されるペットボトルは、市場に大量に流通しており、入手が容易で安価であるため、照明器具全体としての生産コストは大幅に低減される。
【００５１】
また、ペットボトルは、大量に消費されるが故に、大量に出る廃棄品についてのリサイクル過程が整備されている。したがって、この照明器具１では、廃棄処分にする際に生じるカバー５を、容易にリサイクル過程に乗せることができ、建設業リサイクル法の遵守、ＩＳＯ認定取得といった近年の社会的要請に応えることができる。
【００５２】
さらに、ペットボトルとして、一度飲料品等が充填されて使用されたもの等のリサイクル品をカバー５の原料として採用した場合は、ペットボトルの再利用を図ることとなり、省資源化に資することとなる。
【００５３】
また、この照明器具１では、ニトリルゴム製のパッキン７を用いることにより、耐熱温度が１３５℃となって、ＪＩＳ規格（ＪＩＳ  Ｃ  ４００３）による電気機器絶縁分類による区分がＢ種（耐熱温度１３０℃）となるため、Ｂ種絶縁機器として使用することができる。
【００５４】
＜第２実施形態＞
ここでは、上記実施形態との相違に注目して説明する。
【００５５】
図３に、本発明の第２実施形態が採用された照明器具２０１を示す。
【００５６】
この照明器具２０１では、カバー２０５の原料として、底蓋部２３９を有するペットボトルが用いられている。ここでは、ペットボトルの底部は高さ１９ｃｍ程度の位置で裁断されて、高さ１８ｃｍのボトル本体２３７と底蓋部２３８とが得られる。なお、ここで用いられるペットボトルは、非炭酸系飲料を充填するのに用いられていたリサイクル品であり、底部が平坦な面を有している。
【００５７】
このようなボトル本体に、第１実施形態と同様に、照明具２０３を入れ、口金部２１３にパッキン２０７を通し、ソケット２０９を装着する。そして、最後に、底蓋部２３９をボトル本体の第２開口部２２３の内周部に挿入して嵌合させることで、着脱自在に固定する。
【００５８】
このような照明器具２０１では、普段は、第１実施形態と同様、第２開口部２２３が開放された状態で使用されるとともに、例えば、工事等が完了して現場から撤去される際に底蓋部２３９を第２開口部２２３に装着することで、取り外し作業や運搬中において、照明具２０３の電球部分等が破損した場合のガラス等の飛散を防止することができる。
【００５９】
＜第３実施形態＞
ここでも、上記実施形態との相違に注目して説明する。
【００６０】
図４に、本発明の第３実施形態が採用された照明器具装置３００を示す。
【００６１】
この照明器具装置３００は、２つの照明器具３０１が、それぞれの第２開口部３２３を対向させて互いに連結して作成されたものである。
【００６２】
ここで用いられる２本のペットボトル３３１はそれぞれ、成型の際に形成された金型線を有しており、金型線より下方側の所定領域においては下方に先細り形状に形成されている。そして、一方のペットボトルは、この金型線より上方に１０ｍｍの位置で裁断されるとともに、他方のペットボトルは、金型線より下方に１０ｍｍの位置で裁断される。
【００６３】
このようにして用意した２つのボトル本体にそれぞれに、照明具３０３、パッキン３０７及びソケット３０９を装着した後、前記一方のボトル本体の第２開口部３２３の内周部に前記他方のボトル本体の第２開口部３２３を挿入して嵌合させることで連結する。
【００６４】
このような照明器具装置３００は、例えば、図５に示すようにして、適当な取付金具３４１，３４３に取り付けて水平又は垂直方向に照明器具３０１が連結された状態で設置することができるため、例えば、後述するようなトンネル壁面やシールド坑内に水平又は垂直に取り付けることができるとともに、これらのスペース内で必要な照度が得られる。なお、取付金具３４３は、ソケット３０９を締め付けるクランプ部材である。
【００６５】
＜第４実施形態＞
ここでも、上記実施形態との相違に注目して説明する。
【００６６】
図６に、本発明の第４実施形態が採用された照明器具４０１を示す。
【００６７】
ここでカバー４０７の原料として用いられるペットボトルは、内容量２ｌのものであり、図８に示されるように、断面略矩形状の角形のものである。また、このペットボトルは、底部に下方に先細り形状に形成されたテーパー部を有している。このカバー４０７は、ペットボトルの底面から上方に２００ｍｍの位置で裁断されている。
【００６８】
また、図７に、この第４実施形態の別の例が採用された照明器具４５１を示す。
【００６９】
この照明器具４５１は、カバー４５５が、図８に示すように、ペットボトルと同じ形状のペットボトルの底部（この例において、斜線部分で示す領域）４３５を裁断されている点以外は、照明器具４０１と同様に構成されている。
【００７０】
この照明器具４５１は、第２開口部４７３にテーパー部４５１ａが残されているため、第２開口部４７３における強度が向上している。
【００７１】
＜第５実施形態＞
ここでも、上記実施形態との相違に注目して説明する。
【００７２】
図９に、本発明の第５実施形態が採用された照明器具５０１を示す。
【００７３】
この照明器具５０１は、照明具５０３、カバー５０５、パッキン５０７及びソケット５０９のほかに、反射材５０８をさらに備えている。この反射材５０８は、市場で容易に入手できるアルミ皿である。このアルミ皿は、平面視円形の外形を有し、内周側に円形の開口部が形成されたものである。
【００７４】
カバー５０５の原料として、内容量１．５ｌのペットボトルを用いた場合、アルミ皿の中央部には、ペットボトルの側面部分に嵌合し得る大きさの径の開口部が形成され、ボトル本体に装着される。
【００７５】
また、図１０に、この第５実施形態の別の例が採用された照明器具５５１を示す。
【００７６】
この照明器具５５１では、ペットボトルとして、内容量２ｌの角形のものが用いられるとともに、反射材５５８として、市場で容易に入手できる、ガスコンロ等に用いられるアルミ皿である。このアルミ皿は、平面視略正方形の外形を有し、内周側に９５ｍｍ程度の開口部を有するものである。かかる寸法の反射材５５８は、内容量２ｌの角形のペットボトルから作成したカバー５５５に装着するのに適している。
【００７７】
＜第６実施形態＞
ここでも、上記実施形態との相違に注目して説明する。
【００７８】
図１１に、本発明の第６実施形態が採用された照明器具装置６００を示す。
この照明器具装置６００は、第３実施形態で説明したのと同様の照明器具装置本体に加え、反射材６０８をさらに備えたものである。この反射材６０８は、市場で容易に入手できるアルミホイールである。このアルミホールは、一方の面が光沢面として形成されているが、両面が光沢面として形成されたものが採用されても良い。
【００７９】
ここでは、反射材６０８は、図１２に示すように、カバー６０５の外側面部分の一部の領域に光沢面を内周側にして貼り付けられる。具体的には、アルミホイールの周方向両端部となる部分に、両面テープをボトル本体の高さ方向に伸ばして接着したものに貼り付けるられる。なお、反射材６０８は、カバー６０５の内側面に貼り付けられても良く、この場合は、アルミホイールの光沢面でない方の面を外側にして両面テープを介してカバー６０５に貼り付けられる。
【００８０】
このような照明器具装置６００は、例えば、図１３に示すようなシールド抗６６１のセグメントやトンネルの内壁に取り付られて、一方向に光を出せば良い場合や背面側への光が要らない場合に有効に用いることができる。特に、シールド抗６６１は、図１４に示すように、複数のセグメント６７１が周方向及び軸方向に連結されることで構成され、各セグメント６７１は、円弧状の外周部６７１ａと外周部６７１ａの端部から内周側に突出する４つのリブ６７１ｂとを有しているため、この４つのリブ６７１ｂに囲まれてできるスペース内に照明器具装置６００を配置することで、シール抗６６１の内側のスペースが狭くならずに済む。特に、小口径シールド工事の際に作業領域が狭くなるのを回避しつつ照度を確保できる点で有効である。
【００８１】
＜第７実施形態＞
ここでも、上記実施形態との相違に注目して説明する。
【００８２】
図１５及び図１６に、本発明の第７実施形態が採用された照明器具装置７００，７５０をそれぞれ示す。これらの照明器具装置７００，７５０はそれぞれ、第３実施形態で説明したのと同様の照明器具装置本体に加えスタンド７０２をさらに備えたもの、第１実施形態等で説明したのと同様の照明器具のほかにスタンド７５２をさらに備えたものである。
【００８３】
図１５に示す照明器具装置７００において用いられるスタンド７０２は、照明器具装置本体７０４を上下方向に延びた状態で、上下方向にスライド自在になっている。
【００８４】
図１６に示す照明器具装置７５０において用いられるスタンド７５２は、照明器具７５１がスタンド７５２の上端部を回動中心として回動自在にスタンド７５２に装着されており、全周方向を照射することができる。
【００８５】
＜第８実施形態＞
ここでも、上記実施形態との相違に注目して説明する。
【００８６】
図１７に、本発明の第８実施形態が採用された照明器具８０１を示す。
【００８７】
この照明器具８０１は、第２実施形態で説明したのと同様に、ソケット８０９に装着されるクランプ部材８０８をさらに備えている。このクランプ部材８０８は、ソケット８０９を保持するための第１保持部８０８ａと、鋼管等の他の部材を保持するための第２保持部８０８ｂとを備えている。
【００８８】
このような照明器具８０１は、図１８に示すように、建設現場の足場８６１等に用いられる金属パイプ等に連結されて、金属製足場用パイプ、組み立て式足場等の照明として使用できる。
【００８９】
＜第９実施形態＞
ここでも、上記実施形態との相違に注目して説明する。
【００９０】
図１９に、本発明の第９実施形態が採用された照明器具装置９００を示す。
【００９１】
この照明器具装置９００では、第１実施形態で説明したのと同様の複数の照明器具９０１がスズ電式ケーブル９０４に装着されて、図示されるように、階段室の各踊り場を照らすのに好ましく用いられる。
【００９２】
このような照明器具装置９００は、ケーブル９０４を用いたことにより、多数の照明器具９０１を取り付けることができるが、１個の照明器具９０１に流れる電流が上記のように０．２Ａであることから、例えば、２０Ａの仕様のケーブル９０４を用いれば、１００個の照明器具９０１を接続でき、２７Ａの仕様のケーブル９０４を用いれば、１３５個の照明器具９０１を接続できる。また、上記のように電圧特性がよいので、電圧降下によるちらつきが殆ど生じない。
【００９３】
＜他の実施形態＞
（ａ）上記各実施形態で説明した構成は、適宜組み合わることができる。
【００９４】
（ｂ）上記実施形態で示した設計事項（長さ、径、材質等）は、一例に過ぎず、上記のものに限定されない。
【００９５】
（ｃ）カバーの材料は、ペットボトルに限定されず、他の大量消費性容器であっても良い。
【００９６】
（ｄ）カバーは、ペットボトルの底部を裁断せずに作成したものであっても良い。このような態様は、例えば、照明具として、ＬＥＤのように本体部が口金部の径より小さくカバー部材の第１開口部から挿入可能なものに適用可能である。
【００９７】
（ｅ）ボトル本体とソケットをシールするための部材として、パッキンに代えて、例えば、接着剤、塗料等を塗布及び硬化させることで形成される樹脂によってパッキンと同様の機能を持たせたものを採用しても良い。
【００９８】
（ｆ）照明器具及び照明器具装置の用途は、仮設照明用に限定されない。
【図面の簡単な説明】
【００９９】
【図１】本発明の第１実施形態が採用された照明器具を示す正面図。
【図２】前記第１実施形態の照明器具のカバーに用いられるペットボトルを一部を透視して示す正面図。
【図３】本発明の第２実施形態が採用された照明器具を示す正面図。
【図４】本発明の第３実施形態が採用された照明器具装置を示す正面図。
【図５】前記第３実施形態の使用態様の一例を示す正面図。
【図６】本発明の第４実施形態が採用された照明器具を示す正面図。
【図７】前記第４実施形態の照明器具の別の態様を示す正面図。
【図８】前記第４実施形態の照明器具のカバーの原料となるペットボトルを示す底面図。
【図９】本発明の第５実施形態が採用された照明器具を示す正面図。
【図１０】前記第５実施形態の照明器具の別の態様を示す正面図。
【図１１】本発明の第６実施形態が採用された照明器具装置を示す正面図。
【図１２】前記第６実施形態の照明器具装置の照明器具に用いられるカバー及び反射材を示す斜視図。
【図１３】前記第６実施形態の照明器具装置の利用例を示す横断面図。
【図１４】図１３のシールド抗をその内周側から見た場合の一部を示す図。
【図１５】本発明の第７実施形態が採用された照明器具装置を示す斜視図。
【図１６】前記第７実施形態の照明器具装置の別の態様を示す斜視図。
【図１７】本発明の第８実施形態の照明器具を示す正面図。
【図１８】前記第８実施形態の照明器具の利用例を示す斜視図。
【図１９】本発明の第９実施形態の照明器具装置の利用例を示す斜視図。
【符号の説明】
【０１００】
１  照明器具
３００，６００  照明器具装置
３  照明具
５  カバー
７  パッキン
８  反射材
９  ソケット
１１  本体部
１３  口金部
１５  発光部
２１  第１開口部
２３  第２開口部
３１  ペットボトル
３３  飲み口部
３５  底部
３７  ボトル本体
【図１】
2005216672.tif 000003
【図２】
2005216672.tif 000004
【図３】
2005216672.tif 000005
【図４】
2005216672.tif 000006
【図５】
2005216672.tif 000007
【図６】
2005216672.tif 000008
【図７】
2005216672.tif 000009
【図８】
2005216672.tif 000010
【図９】
2005216672.tif 000011
【図１０】
2005216672.tif 000012
【図１１】
2005216672.tif 000013
【図１２】
2005216672.tif 000014
【図１３】
2005216672.tif 000015
【図１４】
2005216672.tif 000016
【図１５】
2005216672.tif 000017
【図１６】
2005216672.tif 000018
【図１７】
2005216672.tif 000019
【図１８】
2005216672.tif 000020
【図１９】
2005216672.tif 000021